(57)【要約】  【課題】撮像情報が固体撮像素子から記憶装置に転送される段階では、撮影光路用の開口部が先羽根と後羽根の両方によって覆われているようにした、高画質の画像を確実に得ることの可能なデジタルカメラ用フォーカルプレンシャッタを提供すること。  【解決手段】露光作動が終了すると、直ちにセット作動が開始され、セット部材８によって、先羽根用駆動部材２と後羽根用第２駆動部材５が回転させられる。そのため、先羽根は直ちにセット作動を行うが、後羽根は、後羽根用第１駆動部材４が抑止部材７に抑止されているため、直ぐには作動を開始しない。その後、開口部１ａが、先羽根の４枚の羽根１１〜１４と後羽根の４枚の羽根１７〜２０の両方によって覆われた段階で、撮像情報が固体撮像素子から記憶装置に転送され、その直後に、後羽根用第１駆動部材４の抑止が解除され、後羽根が作動させられて、セット作動が終了するようになっている。【選択図】  図３
2007155774.tif 000002
【特許請求の範囲】
【請求項１】
押動部を有していると共に先羽根と連結しており露光作動時には先羽根用駆動ばねの付勢力によって作動し先羽根に開き作動を行わせる先羽根用駆動部材と、被抑止部を有していると共に後羽根と連結している後羽根用第１駆動部材と、露光作動時には後羽根用駆動ばねの付勢力によって後羽根用第１駆動部材を伴って作動し後羽根に閉じ作動を行わせる後羽根用第２駆動部材と、後羽根用第１駆動部材を露光作動開始位置へ作動させるための付勢力を有しているセットばねと、セット作動時には初期位置から作動して先羽根用駆動部材と後羽根用第２駆動部材とを各々の前記駆動ばねの付勢力に抗して作動させカメラのレリーズ時には露光作動に先立って初期位置へ復帰作動するセット部材と、抑止部と被押動部とを有しており前記セット部材のセット作動時にはその初期段階から該抑止部が前記被抑止部に係合して前記セットばねの付勢力によって前記第１駆動部材が露光作動開始位置へ作動するのを抑止し該セット作動時の最終段階において前記押動部により該被押動部を押されることによって後羽根用第１駆動部材の抑止を解く抑止部材と、を備えていることを特徴とするデジタルカメラ用フォーカルプレンシャッタ。
【発明の詳細な説明】
【技術分野】
【０００１】
本発明は、撮影に際して、先羽根と後羽根とを同一方向へ順次作動させ、その両者間に形成されたスリットにより、撮像面の露光を行なうようにしたデジタルカメラ用のフォーカルプレンシャッタに関する。
【背景技術】
【０００２】
下記の特許文献１にも記載されているように、デジタルカメラに採用されるフォーカルプレンシャッタの中には、銀塩カメラに採用されているフォーカルプレンシャッタと同様に、先羽根と後羽根という二つのシャッタ羽根を備えたものと、シャッタ羽根を一つだけしか備えていないものとがある。そして、シャッタ羽根は、通常の場合、各々の一端を地板に枢着された二つのアームと、それらの他端に向けて順に枢支された複数枚の羽根とで構成されている。また、シャッタ羽根を二つ備えたものも、一つだけしか備えていないものも、シャッタ羽根を、ノーマリーオープン方式といわれている作動方式で作動させる場合と、ノーマリークローズ方式といわれている作動方式で作動させる場合とがある。本発明は、それらのうち、二つのシャッタ羽根を備えていて、それらをノーマリークローズ方式で作動させるようにしたデジタルカメラ用のフォーカルプレンシャッタに関する。
【０００３】
そして、このようなフォーカルプレンシャッタの場合は、二つのシャッタ羽根は、次のようにして作動させられる。撮影待機状態においては、先羽根の複数枚の羽根が撮影光路用の開口部を覆っており、後羽根の複数枚の羽根はその開口部の外に格納されている。撮影に際して、カメラのレリーズボタンが押されると、通常は先ず、固体撮像素子に蓄積されていた電荷が放出される。これは、先羽根がそれまで撮影光路用の開口部を覆っていたとはいえ、長時間の放置などによって、羽根相互間などから漏光の可能性があるからである。そして、その次には、先羽根と後羽根を同じ方向へ順に露光走行させ、両者によって形成されたスリットにより、固体撮像素子を露光していく。その後、先羽根の複数枚の羽根が撮影光路用の開口部の外に格納され、後羽根の複数枚の羽根がその開口部を覆って停止すると、固体撮像素子から撮像情報が記憶装置に転送される。そして、その転送が終了すると、先羽根と後羽根とは、撮影待機状態に復帰させられる。従って、この種のフォーカルプレンシャッタを備えるカメラの場合には、光学ファインダを備える必要がある。
【０００４】
【特許文献１】特開２００４−６１８６５号公報
【発明の開示】
【発明が解決しようとする課題】
【０００５】
一般に、フォーカルプレンシャッタを内蔵したデジタルカメラは比較的高級機であって、中でも、シャッタ羽根を二つ備えているフォーカルプレンシャッタを内蔵したものは、グレードが高く、多機能・高性能であるほか、高画質の画像を得ることができることを特徴としている。ところで、二つのシャッタ羽根を備えたフォーカルプレンシャッタは、上記したように、先羽根と後羽根の露光走行が終了し、撮影光路用の開口部が、後羽根の複数枚の羽根によって覆われている状態のとき、撮像情報が、固体撮像素子から記憶装置に転送されるようになっている。そして、その転送時においては、固体撮像素子に光が当たると、スミア現象が発生して、良質の画像が得られなくなることが知られている。ところが、周知のように、撮影光路用の開口部が、後羽根の複数枚の羽根によって覆われるとはいえ、如何なる条件の下においても、また極めて僅かな光であっても、羽根相互間などから漏れないようにすることは極めて難しい。そのため、グレードの高い機種においては、万全を期す意味もあって、記憶装置へ転送する段階においては、撮影光路用の開口部が後羽根の複数枚の羽根によって覆われているだけではなく、そのほかにも何らかの方策の講じられていることが期待されている。
【０００６】
本発明は、このような問題点を解決するためになされたものであり、その目的とするところは、先羽根と後羽根との二つのシャッタ羽根を備えたフォーカルプレンシャッタにおいて、露光作動後に、撮像情報が固体撮像素子から記憶装置に転送される段階では、撮影光路用の開口部が先羽根の複数枚の羽根と後羽根の複数枚の羽根の両方によって二重に覆われているようにした、高画質の画像を確実に得られるデジタルカメラ用フォーカルプレンシャッタを提供することである。
【課題を解決するための手段】
【０００７】
上記の目的を達成するために、本発明のデジタルスチルカメラ用フォーカルプレンシャッタは、押動部を有していると共に先羽根と連結しており露光作動時には先羽根用駆動ばねの付勢力によって作動し先羽根に開き作動を行わせる先羽根用駆動部材と、被抑止部を有していると共に後羽根と連結している後羽根用第１駆動部材と、露光作動時には後羽根用駆動ばねの付勢力によって後羽根用第１駆動部材を伴って作動し後羽根に閉じ作動を行わせる後羽根用第２駆動部材と、後羽根用第１駆動部材を露光作動開始位置へ作動させるための付勢力を有しているセットばねと、セット作動時には初期位置から作動して先羽根用駆動部材と後羽根用第２駆動部材とを各々の前記駆動ばねの付勢力に抗して作動させカメラのレリーズ時には露光作動に先立って初期位置へ復帰作動するセット部材と、抑止部と被押動部とを有しており前記セット部材のセット作動時にはその初期段階から該抑止部が前記被抑止部に係合して前記セットばねの付勢力によって前記第１駆動部材が露光作動開始位置へ作動するのを抑止し該セット作動時の最終段階において前記押動部により該被押動部を押されることによって後羽根用第１駆動部材の抑止を解く抑止部材と、を備えているようにする。
【発明の効果】
【０００８】
本発明は、先羽根と後羽根との二つのシャッタ羽根を備えたデジタルカメラ用のフォーカルプレンシャッタにおいて、露光走行後においては、先羽根だけを直ちにセット作動させ、先羽根の複数枚の羽根と後羽根の複数枚の羽根とで撮影光路用の開口部を略二重に覆った段階で固体撮像素子から撮像情報を記憶装置に転送し、その直後における先羽根のセット作動の終了直前に、先羽根用駆動部材によって後羽根のをセット作動を行わせるようにしたので、固体撮像素子から記憶装置への撮像情報の転送が好適に行え、高画質の画像が確実に得られるという特徴を有するものである。
【発明を実施するための最良の形態】
【０００９】
本発明の実施の形態を、図示した実施例によって説明する。尚、図１〜図４は、実施例を説明するためのものであって、図１は、セット状態（撮影待機状態）を示した平面図であり、図２は、露光作動の終了状態を示した平面図であり、図３は、図２の状態の直後に行われるセット作動の終了直前の状態を示した平面図である。また、図４は、実施例の作動を説明するためのタイミングチャートである。
【実施例】
【００１０】
先ず、本実施例の構成を主に図１を用いて説明する。図１において、シャッタ地板１には、長方形を横長にした開口部１ａが形成されている。また、周知であるため図示していないが、シャッタ地板１の背面側には、所定の間隔を空けて、中間板と補助地板が順に取り付けられており、シャッタ地板１と中間板との間に後述の先羽根の羽根室を形成し、中間板と補助地板との間に後述の後羽根の羽根室を形成している。そして、中間板と補助地板にも、開口部１ａと類似の開口部が形成されているが、本実施例においては、開口部１ａが撮影光路用の開口部を規制している。また、開口部１ａの右側には、円弧状の二つの長孔１ｂ，１ｃと、小さい方形の孔１ｄが形成されており、長孔１ｂ，１ｃの下方端には、平面形状が略Ｃ字状をした周知の緩衝部材を取り付けているが、図面を見やすくするために、それらの図示を省略してある。
【００１１】
シャッタ地板１の表面側には、軸１ｅ，１ｆ，１ｇが立設され、背面側には、軸１ｈ，１ｉ，１ｊ，１ｋが立設されているが、それらのうち、軸１ｅと軸１ｈ、及び軸１ｆと軸１ｉは、各々同心上に配置されている。また、表面側に立設されている軸１ｅ，１ｆ,１ｇの先端には、図示していない支持板とプリント配線板が重ねて取り付けられており、それらのうちシャッタ地板１側に配置された支持板には先羽根用電磁石と後羽根用電磁石が取り付けられているが、それらの取付け構成は、特開２００１−２１９４２号公報などに記載された周知の構成に準じているので、図示を省略してある。
【００１２】
シャッタ地板１の表面側に立設されている上記の軸１ｅには、合成樹脂製の先羽根用駆動部材２が回転可能に取り付けられていて、図示していない先羽根用駆動ばねによって反時計方向へ回転するように付勢されている。そして、この先羽根用駆動部材２は、ローラー２ａと、駆動ピン２ｂと、取付部２ｃと、押動部２ｄを有している。それらのうち、駆動ピン２ｂは背面側に設けられており、その根元部は、露光作動終了時に長孔１ｂに取り付けられている上記の図示していない緩衝部材に当接するようになっていて、先端部は、長孔１ｂを貫通している。また、取付部２ｃの内部には、上記の特開２００１−２１９４２号公報にも記載されているように、周知の鉄片部材３が図示していないばねを介在させて取り付けられており、上記した図示していない先羽根用電磁石に通電されたとき、その鉄芯に吸着され得るようになっている。
【００１３】
シャッタ地板１の表面側に立設されている上記の軸１ｆには、シャッタ地板１側から、後羽根用第１駆動部材４と後羽根用第２駆動部材５とが、個々に回転可能に取り付けられており、後羽根用第２駆動部材５は、図示していない周知の後羽根用駆動ばねによって反時計方向へ回転するように付勢されている。また、後羽根用第１駆動部材４は合成樹脂製であって、被抑止部４ａと、駆動ピン４ｂと、被押動部４ｃとを有している。そして、駆動ピン４ｂは、背面側に設けられており、その根元部は、露光作動終了時に長孔１ｃに取り付けられている上記の図示していない緩衝部材に当接するようになっていて、先端部は、長孔１ｃを貫通し、シャッタ地板１の背面側に突き出ている。
【００１４】
他方、後羽根用第２駆動部材５も合成樹脂製であり、いずれも後羽根用第１駆動部材４側に肉厚に形成された被押動部５ａと、押動部５ｂと、取付部５ｃとを有している。そのうち、押動部５ｂは、被押動部５ａよりもシャッタ地板１側に長く延伸して形成されていて、後羽根用第１駆動部材４に形成された上記の被押動部４ｃの端面に接し得るようになっている。また、取付部５ｃは、被写体側に大きく隆起して形成されており、その内部には、鉄片部材６が、上記の鉄片部材３と同様にして、図示していないばねを介在させて取り付けられ、図示していない上記の後羽根用電磁石に通電されたとき、その鉄芯に吸着され得るようになっている。更に、本実施例においては、後羽根用第１駆動部材４と後羽根用第２駆動部材５との間に、後羽根用駆動ばねよりも付勢力の弱いセットばねが掛けられていて、後羽根用第１駆動部材４を時計方向へ回転させるように付勢し、後羽根用第２駆動部材５を反時計方向へ回転させるように付勢しているが、そのセットばねは、後述の作動説明からも分かるように、本来は、後羽根用第１駆動部材４を時計方向へ回転させるためのものであるから、後羽根用第１駆動部材４とシャッタ地板１との間に掛けるようにしても差し支えないものである。
【００１５】
シャッタ地板１の表面側に立設されている上記の軸１ｇには、シャッタ地板１側から、抑止部材７とセット部材８とが、個々に回転可能に取り付けられている。そのうち、抑止部材７は、セット部材８側に折り曲げた二つの折曲部と、シャッタ地板１側に折り曲げた一つの折曲部とを有している。そのうち、セット部材８側に折り曲げた二つの折曲部は、抑止部７ａと被押動部７ｂであるが、シャッタ地板１側に折り曲げた折曲部は被ストッパ部７ｃであって、上記したシャッタ地板１の方形の孔１ｄに挿入されている。また、本実施例においては、抑止部材７とセット部材８との間に、ばねが掛けられていて、抑止部材７を反時計方向へ回転させるように付勢し、セット部材８を時計方向へ回転させるように付勢している。
【００１６】
他方、セット部材８は、合成樹脂製であって、押動部８ａ，８ｂと、被押動部８ｃとを有している。このセット部材８は、上記したように、抑止部材７との間に掛けられた図示していないばねによって時計方向へ回転するように付勢されているが、図１においては、その時計方向への回転を、図示していないカメラ本体側の部材が被押動部８ｃを抑止することによって阻止されている。そして、その抑止が解かれたときには、時計方向へ回転し、シャッタ地板１に設けられた図示していないストッパによって停止させられるようになっているが、その停止位置がセット部材８にとっての初期位置である。尚、本実施例では、図示していない一つのばねによって、抑止部材７を反時計方向へ回転させるように付勢し、セット部材８を時計方向へ回転させるように付勢しているが、抑止部材７とセット部材８とを別々のばねによって、そのように付勢するようにしても差し支えない。
【００１７】
最後に、シャッタ地板１の背面側に配置されている先羽根と後羽根の構成を説明する。先ず、先羽根は、軸１ｈと軸１ｊに対して回転可能に取り付けられている二つのアーム９，１０と、それらの先端部に向けてそれらの両方に順に枢支された４枚の羽根１１，１２，１３，１４とで構成されており、最先端に枢支された羽根１４がスリット形成羽根となっている。そして、周知のように、アーム９に形成された孔に、先羽根用駆動部材２の駆動ピン２ｂが嵌合している。他方、後羽根は、軸１ｉと軸１ｋに対して回転可能に取り付けられた二つのアーム１５，１６と、それらの先端部に向けて順に枢支された４枚の羽根１７，１８，１９，２０とで構成されていて、最先端に枢支されている羽根２０がスリット形成羽根となっている。そして、アーム１５に形成された孔には、後羽根用第１駆動部材４の駆動ピン４ｂが嵌合している。
【００１８】
次に、図１〜図４を用いて、本実施例の作動を説明するが、図４に記載されている画枠とは、図１における開口部１ａの上辺と下辺との距離を意味するものであって、本実施例の場合には、画枠を規制している平行線のうち、下方の線が開口部１ａの上辺位置を示し、上方の線が下辺位置を示すものである。図１は、シャッタのセット状態、即ちカメラの撮影待機状態を示したものである。セット部材８は、このとき、図示していないカメラ本体側の部材によって被押動部８ｃを抑止されているため、図示していないばねの付勢力によって時計方向へ回転し初期位置へ復帰することができず、このセット位置を維持させられている。
【００１９】
また、先羽根用駆動部材２と後羽根用第２駆動部材５とは、図示していない各々の駆動ばねの付勢力によって反時計方向へ回転しようとするのを、ローラー２ａ，被押動部５ａを、セット部材８の押動部８ａ，８ｂに抑止されて、この状態を維持させられている。そのため、抑止部材７は、その被押動部７ｂを先羽根用駆動部材２の押動部２ｄに押され、図示していないばねの付勢力に抗して僅かに時計方向へ回転させられており、その被ストッパ部７ｃは、シャッタ地板１の孔１ｄの縁から離れている。更に、後羽根用第１駆動部材４は、図示していないセットばねの付勢力によって時計方向へ回転させられており、その被押動部４ｃを後羽根用第２駆動部材５の押動部５ｂに接触させている。
【００２０】
そして、先羽根のアーム９と後羽根のアーム１５は、先羽根用駆動部材２の駆動ピン２ｂと後羽根用第１駆動部材４の駆動ピン４ｂによって時計方向へ回転させられた状態になっており、先羽根の４枚の羽根１１〜１４は、展開状態となって開口部１ａを覆っており、後羽根の４枚の羽根１７〜２０は、重畳状態となって開口部１ａの上方位置に格納されている。従って、本実施例のフォーカルプレンシャッタを備えたカメラの場合には、撮影者は、光学ファインダによって、撮影前の被写体像の観察を行うことになる。
【００２１】
撮影に際して、カメラのレリーズボタンが押されると、先ず、図示していない先羽根用電磁石と後羽根用電磁石に通電され、先羽根用駆動部材２と後羽根用第２駆動部材５に取り付けられた夫々の鉄片部材３，６が吸着保持される。次に、図示していないカメラ本体側の部材が、セット部材８の被押動部８ｃに対する抑止を解くので、セット部材８は、図示していないばねの付勢力によって時計方向へ回転され、初期位置へ復帰する。また、セット部材８の時計方向への回転に伴い、セット部材８の押動部８ａ，８ｂが、ローラー２ａ，被押動部５ａから離れることによって、周知のように、各駆動部材２，４，５は極めて僅かではあるが反時計方向へ回転させられる。しかしながら、鉄片部材３，６が夫々の電磁石に吸着保持されているので実質的には回転させられたことにならず、先羽根の４枚の羽根１１〜１４は開口部１ａを覆ったままであり、後羽根の羽根１７〜２０は格納状態を維持している。そして、その状態で、固体撮像素子に蓄積されている電荷を放出する。
【００２２】
その後、最初に先羽根用電磁石に対する通電が断たれ、所定時間後には後羽根用電磁石に対する通電が断たれる。そのため、先ず、先羽根用電磁石の吸引力が失われることによって、先羽根用駆動部材２が、図示していない先羽根用駆動ばねの付勢力によって反時計方向へ急速に回転させられる。そして、その回転によって、抑止部材７は、被押動部７ｂに対する押動部２ｄによる押圧が解かれるので、図示していないばねの付勢力によって反時計方向へ回転し、その被ストッパ部７ｃをシャッタ地板１の孔１ｄの縁に当接させて停止する。他方、先羽根用駆動部材２が反時計方向へ回転すると、その駆動ピン２ｂがアーム９を反時計方向へ回転させる。そのため、先羽根の４枚の羽根１１〜１４は、相互の重なりを大きくしつつ下方へ走行し、スリット形成羽根１４の上端縁によって開口部１ａを開放していく。
【００２３】
他方、上記のように先羽根用電磁石に対する通電が断たれてから所定時間後に、後羽根用電磁石に対する通電が断たれるため、鉄片部材６に対する吸引力が失われ、後羽根用第２駆動部材５は、図示していない後羽根用駆動ばねの付勢力によって反時計方向へ急速に回転させられる。そのとき、後羽根用第２駆動部材５の押動部５ｂが後羽根用第１駆動部材４の被押動部４ｃを押すので、後羽根用第１駆動部材４も反時計方向へ回転させられる。それによって、後羽根用第１駆動部材４の駆動ピン４ｂがアーム１５を反時計方向へ回転させるので、後羽根の４枚の羽根１７〜２０は、相互の重なりを小さくしつつ下方へ走行し、スリット形成羽根２０の下端縁によって開口部１ａを覆っていく。
【００２４】
このようにして、先羽根と後羽根が、それらのスリット形成羽根１４，２０によって形成されたスリットにより、撮像素子の撮像面を連続的に露光していくことになるが、露光作動の最終段階になると、先ず、先羽根用駆動部材２の駆動ピン２ｂがシャッタ地板１の長孔１ｂの下端縁に取り付けられている図示していない緩衝部材に当接して、先羽根の露光走行が停止させられる。その後、後羽根用第１駆動部材４の被抑止部４ａが抑止部材７の抑止部７ａを押し、図示していないばねの付勢力に抗して抑止部材７を一時的に時計方向へ回転させると、その直後には、後羽根用第１駆動部材４の駆動ピン４ｂがシャッタ地板１の長孔１ｃの下端縁に取り付けられている図示していない緩衝部材に当接することによって、後羽根の露光走行が停止させられる。
【００２５】
図２は、このようにして、露光作動を終了した状態を示したものであるが、このとき、セット部材８は、初期位置にあり、先羽根の４枚の羽根１１〜１４は、重畳されて開口部１ａの下方位置に格納され、後羽根の４枚の羽根１７〜２０は、展開されて開口部１ａを覆っている。また、抑止部材７は、その被ストッパ部７ｃを、シャッタ地板１の孔１ｄの縁に接触させている。そして、通常は、この状態になると、直ちに撮像情報が固体撮像素子から記憶装置に転送されるが、本実施例の場合には、この段階では転送せず、直ちにセット作動が開始される。
【００２６】
本実施例のセット作動は、図示していないカメラ本体側の部材がセット部材８の被押動部８ｃを押し、図示していないばねの付勢力に抗してセット部材８を反時計方向へ回転させることによって行なわれる。その回転によって、セット部材８は、先ず、押動部８ａによってローラー２ａを回転させながら押し、先羽根用駆動部材２を、図示していない先羽根用駆動ばねの付勢力に抗して時計方向へ回転させる。そのため、先羽根用駆動部材２は、その駆動ピン２ｂがアーム９を時計方向へ回転させることによって、先羽根の４枚の羽根１１〜１４を、それらの相互の重なりを小さくしつつ上方へ作動させていく。
【００２７】
また、先羽根用駆動部材２を時計方向へ回転させ始めた直後には、セット部材８の押動部８ｂが、後羽根用第２駆動部材５の被押動部５ａを押すことによって、後羽根用第２駆動部材５を、図示していない後羽根用駆動ばねの付勢力に抗して時計方向へ回転させ始める。そのため、後羽根用第１駆動部材４も、図示していないセットばねの付勢力により、後羽根用第２駆動部材５の回転に追従して時計方向へ回転しようとするが、その回転は、被抑止部４ａが抑止部材７の抑止部７ａに抑止されることによって直ちに停止させられる。そのため、後羽根は僅かに作動させられるものの、４枚の羽根１７〜２０は開口部１ａを覆った状態のまま、後羽根用第２駆動部材５だけが時計方向へ回転させられていく。
【００２８】
このようにして、先羽根の４枚の羽根１１〜１４だけが、相互の重なりを小さくして開口部１ａを覆っていくため、開口部１ａは、下方から上方へ向けて、先羽根の４枚の羽根１１〜１４と後羽根の４枚の羽根１７〜２０によって二重に覆われていくことになる。そして、本実施例の場合には、図３に示すように、先羽根の４枚の羽根１１〜１４が開口部１ａを完全に覆った段階で、撮像情報が固体撮像素子から記憶装置に転送される。従って、このときには、開口部１ａが、先羽根の４枚の羽根１１〜１４と後羽根の４枚の羽根１７〜２０によって完全に二重に覆われているため、先羽根の４枚の羽根１１〜１４だけで覆われている場合に比較して、スミア現象の発生を略完全に無くすことが可能になる。
【００２９】
そして、セット部材８の回転は、その直後に、先羽根用駆動部材２と後羽根用第２駆動部材５に取り付けられた鉄片部材３，６が、図示していない先羽根用電磁石と後羽根用電磁石の鉄芯に接触すると共に、先羽根用駆動部材２の押動部２ｄが抑止部材７の被押動部７ｂを押して抑止部材７を反時計方向に回転させ、抑止部７ａによる被抑止部４ａの抑止を解いた段階で停止する。その停止位置が、図４に記載されたセット部材８のセット位置である。また、上記のように、被抑止部４ａの抑止を解かれると、後羽根用第１駆動部材４は、図示していないセットばねの付勢力によって時計方向へ回転させられ、その被押動部４ｃが後羽根用第２駆動部材５の押動部５ｂに当接することによって停止させられる。そして、その後羽根用第１駆動部材４の時計方向の回転によって、駆動ピン４ｂがアーム１５を時計方向へ回転させるので、後羽根の４枚の羽根１７〜２０は、相互の重なりを大きくしつつ上方へ作動させられ、開口部１ａの上方位置に格納される。その結果、全ての構成部材は、図１に示された撮影待機状態に復帰したことになる。
【００３０】
尚、上記の説明においては、セット作動時に、先羽根の４枚の羽根１１〜１４が開口部１ａを完全に覆った段階で、撮像情報が固体撮像素子から記憶装置に転送される場合で説明したが、本発明は、そのような場合に限定されず、先羽根の４枚の羽根１１〜１４が開口部１ａを完全に覆う直前に、撮像情報を固体撮像素子から記憶装置に転送させるようにしても、略同等の効果を奏することが可能になる。
【００３１】
また、周知のように、フォーカルプレンシャッタには、露光作動開始直前の状態において、鉄片部材を有する各々の駆動部材を夫々の電磁石の吸引力によって直接保持しておき、露光作動の開始に際しては、その磁気的な保持力を解除するだけに構成されたダイレクトタイプと称されているものと、二つの駆動部材を各々の係止部材によって機械的に保持しておき、電磁石によって作動させられる部材によってその係止部材の保持を解除するように構成した係止タイプとが知られている。上記の実施例は、それらのうちのダイレクトタイプのシャッタの場合で説明したが、本発明は、係止タイプのものにも適用することが可能である。また、上記の実施例では、先羽根も後羽根も、夫々４枚の羽根を有しているが、本発明は、そのような枚数には限定されず、各々が複数枚であれば、両者の枚数が異なっていても差し支えない。
【図面の簡単な説明】
【００３２】
【図１】セット状態（撮影待機状態）を示した実施例の平面図である。
【図２】露光作動終了状態を示した実施例の平面図である。
【図３】図２の状態の直後に行われるセット作動の終了直前の状態を示した平面図である。
【図４】実施例の作動を説明するためのタイミングチャートである。
【符号の説明】
【００３３】
１                          シャッタ地板
１ａ                        開口部
１ｂ，１ｃ                  長孔
１ｄ                        孔
１ｅ，１ｆ，１ｇ，１ｈ，１ｉ，１ｊ，１ｋ  軸
２                          先羽根用駆動部材
２ａ                        ローラー
２ｂ，４ｂ                  駆動ピン
２ｃ，５ｃ                  取付部
２ｄ，５ｂ，８ａ，８ｂ      押動部
３，６                      鉄片部材
４                          後羽根用第１駆動部材
４ａ                        被抑止部
４ｃ，５ａ，７ｂ，８ｃ      被押動部
５                          後羽根用第２駆動部材
７                          抑止部材
７ａ                        抑止部
７ｃ                        被ストッパ部
８                          セット部材
９，１０，１５，１６        アーム
１１，１２，１３，１４，１７，１８，１９，２０  羽根
【図１】
2007155774.tif 000003
【図２】
2007155774.tif 000004
【図３】
2007155774.tif 000005
【図４】
2007155774.tif 000006